(57)【要約】【課題】手の各指先の第一関節のみに使用できるものではなく、第２関節は、運動に制限があり、日常生活に支障をきたす。安価でないため、使い捨てができなく、台所等での水仕事に適していない。医療機関に行かなくても気軽に自分で改善できない。少しでも手の各指の長さ、太さに違いがあると、装着に無理が生じてしまう。また、手掌側に副木がないので、変形矯正の効果はあまり期待できないという問題があった。【解決手段】手の指先を固定する手の第一関節変形矯正用サポータであって、第一関節５を挟んで上下に分割したトンボ形の柔軟な通気性のある材料で形成された基材に、本体中央部１を挟んで左右に２枚ずつの指に巻回できる羽根状のフラップ２を設け、この本体中央部１には副木７を設け、さらに副木７を有する本体中央部１と羽根状のフラップ２全体に皮膚に優しい接着剤を塗布し、その上を剥離紙８で覆った手の第一関節変形矯正用サポータ。【選択図】図３
2018050762.tif 000002
【特許請求の範囲】
【請求項１】
手の指先を固定する手の第一関節変形矯正用サポータであって、前記第一関節を挟んで上下に分割したトンボ形の柔軟な通気性のある材料で形成された基材に、本体中央部を挟んで左右に２枚ずつ、指に巻回できる羽根状のフラップを設け、この本体中央部には副木を設け、さらに副木を有する本体中央部と羽根状フラップ全体に皮膚に優しい接着剤を塗布し、その上を剥離紙で覆ったことを特徴とする手の第一関節変形矯正用サポータ。
【請求項２】
手の指先を固定する手の第一関節変形矯正用サポータであって、略矩形状の柔軟な通気性のある材料で形成された基材に、第一関節を挟んで指の幅の本体中央部を残して上下に分割できるようにカットを設け、該カットを挟んで、指に巻回できる４枚のフラップ部を設け、前記本体中央部には副木を設け、さらに本体中央部と４枚のフラップ部全体に皮膚に優しい接着剤を塗布し、その上を剥離紙で覆ったことを特徴とする手の第一関節変形矯正用サポータ。
【請求項３】
前記４枚のフラップ部は、装着時に指先側に装着される上側左右２つのフラップ部が下側左右のフラップ部より長さが短いことを特徴とする請求項１、または請求項２に記載の手の第一関節変形矯正用サポータ。
【発明の詳細な説明】
【技術分野】
【０００１】
本発明は、手の爪のすぐ下の第一関節（末節関節、またはＤＩＰ関節という）が太く変形したり、骨が隆起（結節）し指先が曲ったりする症状（以下、この症状をへバーデン結節という）が起きる。このヘバーデン結節とは、その症状を報告したイギリスのヘバーデンという医師の名にちなんで「ヘバーデン結節」と呼ばれている。この症状は、３０代位からの女性に多く見られる。５０代以降では、整形外科、接骨院、その他治療院に通院している人の７人に１人の割合でこの症状が見られる。国内では１００万人以上の人に見られると言われている。
ところが、これほど多く、そして身近な症状であるのに命に関わることが無いため、研究も進まず、それ故に一般的にあまり知られていないのが現状である。
このヘバーデン結節の症状としては、確かに命に関わることはないが、変形の初期には痛みを伴う場合が多く、病院に行っても原因が不明であり、治し方も確立されていないのが現状であるため、そのまま放置をしてしまう場合が多い。
そのため、放置により症状が進行してしまい、指先が曲がるなど変形が起き、物を取る時に当たってしまい、突き指の状態を繰り返し、さらに変形が進行する。画像診断では、関節の隙間が少なく、骨棘という骨のトゲができていて亜脱臼している場合がある。
このヘバーデン結節は、急性の場合は腫れや痛みがあり、半年から１年くらいで自然と治まるが、今度は他の指に次々に同じような痛みと変形が起こり、反対の手の指先にも飛んで、１０〜１５年位で両手の指先が全部変形してしまうのが一般的な経過症状である。
【背景技術】
【０００２】
従来の技術としては、指先を専用のシーネ（副木）や金属副子で固定するものが存在しているが、固定素材が固く、そして大きすぎて、手指の第２関節（中節関節、またはＰＩＰ関節という）まで固定し、手指の運動が制限されるため、日常生活では極めて不便であり、このため継続して使用することは殆んどないのが現状である。
また、複数の指先が同時に変形することが多いので、複数の指先に従来の装具で固定するには硬く、そして大き過ぎて邪魔になり、また第２関節まで固定してしまうので、日常生活においては、なおさら不便であり、使用困難であった。そのため、炎症と共に変形、または変形が進行するのを防ぐことができないまま放置状態になってしまい、益々変形が酷くなってしまうという現状がある。
従来技術としては、指の先端から第二関節までの長さを有し、伸縮性素材からなる筒状のサポーター本体であって、前記サポーターの指の内側の第一関節及び第二関節の屈曲部分に矩形状の開口部を各々１ヵ所設け、手指の第一関節と第二関節に装着可能とすることができ、前記サポーター本体の外周面上の左右両側の手指第一関節及び第二関節の部位に、Ｘ字状に対向して弓状弾性素材を備え、前記弓状弾性素材が当接する部位は線状弾性素材で前記弓状弾性素材を固着し、手指の第一関節及び第二関節の曲げ伸ばしにおける関節部の支点軸を形成するとともに、前記支点軸の維持が可能になり、指の横方向の変形を改善する手指関節用サポーター。（例えば、特許文献１参照）が存在している。
【先行技術文献】
【特許文献】
【０００３】
【特許文献１】特許第５９４１０９０号公報（特許請求の範囲の欄、発明の詳細な説明の欄、及び図５〜図９参照）
【発明の概要】
【発明が解決しようとする課題】
【０００４】
ヘバーデン結節は、リウマチとは異なり、その治療法が確立されていないのが現状で、そのため発症した殆んどの人が適切な処置を受けられず、変形が進行してしまうという問題があった。
本発明は、これを解決するために、指の関節を固定する本体中央部である固定部を挟んでトンボ状の羽根部を設けた手の第一関節変形矯正用サポータに関し、従来の技術では、以下のような問題点が解決できなかった。
（１） 手の各指先の第一関節（末節関節）のみに使用できない。
（２）人差し指、中指、薬指、小指の各指の第一関節に同時に使用できないので、不便である。
（３）第２関節（中節関節）は、運動に制限があり、第一関節を曲げることが可能な状態で使用できなく、日常生活に支障をきたす。
（４）一つ一つが安価でないため、使い捨てができなく、台所での作業や水仕事に適していない。
（５）誰でも患部となる第一関節を簡便に確実に固定できない。
（６）医療機関に行かなくても気軽に自分で改善できない。
（７）手掌側に副木がないので患部部位の固定支持、疼痛防止の治療的効果を奏さない。
（８）少しくらい手の各指の長さ、太さに違いがあると装着に無理が生じてしまう。
また、前記従来技術では、ヘバーデン結節による腫れや変形を隠すことができ、回復期における患部部位の支持および保温効果を高め疼痛防止を目的としている。図中、手指関節用サポーターの指関節部の手のひら側に穴部を設けているが、本来変形などを矯正・疼痛防止のためには、指の手掌側を固定することで効果を得ることができるため、手のひら側に穴部を設けた従来技術では変形矯正の効果はあまり期待できないものであった。
また、指の変形時の患部側である指の爪側や側部に弓状弾性素材等の硬いものが当接されるため、患部に悪影響を与えてしまう恐れもあった。
【課題を解決するための手段】
【０００５】
本発明の第１発明は、請求項１に記載された通りの手の第一関節変形矯正用サポータであり、次のようなものである。
手の指先を固定する手の第一関節変形矯正用サポータであって、前記第一関節を挟んで上下に分割したトンボ形の通気性のある柔軟な材料で形成された基材に、本体中央部を挟んで左右に２枚ずつ、指に巻回できる羽根状のフラップを設け、この本体中央部には副木を設け、さらに副木を有する本体中央部と羽根状フラップ全体に皮膚に優しい接着剤を塗布し、その上を剥離紙で覆う構成である。
【０００６】
本発明の第２発明は、請求項２に記載された通りの手の第一関節変形矯正用サポータであり、次のようなものである。
手の指先を固定する手の第一関節変形矯正用サポータであって、略矩形状の柔軟な通気性のある材料で形成された基材に、第一関節を挟んで指の幅の本体中央部を残して上下に分割できるようにカット部を設け、該カット部を挟んで、指に巻回できる４枚のフラップ部を設け、前記本体中央部には副木を設け、さらに本体中央部と４枚のフラップ部全体に皮膚に優しい接着剤を塗布し、その上を剥離紙で覆う構成である。
【０００７】
本発明の第３発明は、請求項３に記載された通りの手の第一関節変形矯正用サポータであり、次のようなものである。
請求項１に記載の発明に加えて、前記４枚のフラップ部は、装着時に指先側に装着される上側左右２つのフラップ部が下側左右のフラップ部より長さが短い構成である。
【発明の効果】
【０００８】
本発明に係る手の第一関節変形矯正用サポータは、上記説明のような構成を有するので、以下に記載する効果を奏する。
（１）手の各指先の第一関節（末節関節）のみに使用できる。
（２）本体が薄手に形成されているため、人差し指、中指、薬指、小指の第一関節に同時に巻回使用できるので、便利である。
（３）通気性のある柔軟な素材で形成されているため、第２関節（中節関節）の運動に制限がないようにでき、第一関節を曲げることが可能な状態で使用でき、日常生活に支障をきたさない。
（４）安価で簡便なため、使い捨てができ、台所での作業や水仕事に適している。
（５）誰でも患部となる第一関節を簡便に確実に固定できる。
（６）医療機関に行かなくても気軽に自分で改善できる。
（７）手掌側に副木があるので、患部部位の固定支持、及び疼痛防止の治療的効果を奏するものである。
（８）少しくらい手の各指の長さ、太さに違いがあっても、巻回して固定装着することができるので、各指のサイズに関係なく汎用性が高いものである。
（９）装着時に指先側に装着される上側左右２つのフラップ部が下側左右のフラップ部より長さが短いため、指先に向かって幅に小さくなる指先への装着時にしわ等を発生させてしまうことなく、確実に装着することができる。
（１０）さらに固定力が必要な場合は、素材が薄いので、２重に貼って使用することができる。
（１１）フラップ素材は、締め付けが一定であり、装着時に輪ゴムのようにそれ以上締め付けることがないため、安全である。
【図面の簡単な説明】
【０００９】
【図１】本発明の手の第一関節変形矯正用サポータを使用する手背部を示す概略正面図である。
【図２】本発明の手の第一関節変形矯正用サポータを使用する手掌部を示す概略正面図である。
【図３】本発明の手の第一関節変形矯正用サポータの第一実施例を示す平面図である。
【図４】本発明の手の第一関節変形矯正用サポータの第一実施例を使用した状態を示す側面図である。
【図５】本発明の手の第一関節変形矯正用サポータの第一実施例を使用した状態を示す部分正面図である。
【図６】本発明の手の第一関節変形矯正用サポータの第二実施例を示す平面図である。
【図７】本発明の手の第一関節変形矯正用サポータの第二実施例を使用した状態を示す側面図である。
【図８】本発明の手の第一関節変形矯正用サポータの第二実施例を使用した状態を示す部分正面図である。
【図９】本発明の手の第一関節変形矯正用サポータの第三実施例を示す平面図である。
【図１０】本発明の手の第一関節変形矯正用サポータの第三実施例を使用した状態を示す側面図である。
【図１１】本発明の手の第一関節変形矯正用サポータの第三実施例を使用した状態を示す部分正面図である。
【発明を実施するための形態】
【００１０】
手の指先を固定する手の第一関節変形矯正用サポータであって、前記第一関節を挟んで上下に分割したトンボ形の柔軟な通気性のある材料で形成された基材に、本体中央部を挟んで左右に２枚ずつ、指に巻回できる羽根状のフラップを設け、この本体中央部には副木を設け、さらに副木を有する本体中央部と羽根状フラップ全体に皮膚に優しい接着剤を塗布し、その上を剥離紙で覆った手の第一関節変形矯正用サポータである。
【実施例】
【００１１】
以下、図面を用いて本発明の一実施例の手の第一関節変形矯正用サポータを説明する。
本発明の手の第一関節変形矯正用サポータは、手指の爪のすぐ下の第一関節（末節関節）５が太く変形したり、骨が隆起し指先が曲がったりする症状が起こるヘバーデン結節の治療に効果のあるものである。この症状は、未だ原因が特定できていないため、根本治療、標準的な治療法は、今のところ確立されていない。対処療法として、手指の関節を固定することにより、炎症や変形を最小限にくい止めることができることは解ってきている。炎症期に固定をすることにより、「変形を最小限にくい止めておく」ということは重要なポイントとなる。その理由は、炎症期が終わった後の日常生活に支障を残さないことからである。固定をすると炎症や腫れが治まり、変形も最小限にくい止めることができ、日常生活にも支障をきたさないという事実を突き止めた。
【００１２】
ここで、具体的な実施例について図１〜図５に基づいて第一実施例を説明する。
本発明の第一実施例は、手の指先を固定するもので、手の第一関節変形矯正用サポータであって、第一関節５を挟んで上下に分割したトンボ形の柔軟な通気性のある伸縮性材料で形成された基材に、本体中央部１を含む胴体を挟んで左右に２枚ずつの指に巻回できる指先を覆う羽根状のフラップ２と、第一関節と第二関節間を覆う羽根部３を設け、この本体中央部１には副木７を設け、さらに副木７を有する本体中央部１を含む胴体と羽根状のフラップ２と羽根部３の全体に皮膚に優しい接着剤を塗布し、その上を剥離紙８で覆った手の第一関節変形矯正用サポータである。
以上のような構成の手の第一関節変形矯正用サポータは、本体中央部１、フラップ２、羽根部３を伸縮性がある通気性素材、例えばゴム入り不織布、ゴム入り織布、軟質な通気性のあるプラスチック材など、通気性と伸縮性があり、人体に悪影響のない材料であれば種々選択することが可能である。
この通気性、伸縮性のある布製の帯で形成した｛例えばバンドエイド（登録商標）｝のような材料で本体、羽根部を形成し、できれば羽根部３を薄くし、全体に剥離紙８、本体中央部１には副木７（弾力性があり、サポータ装着時に違和感の少ない材料で形成されたもの、例えば不織布）を設け、この副木７の設け方は、貼り付けたり、縫い付けたり、また本体中央部１を袋状にして、この袋状部内に封入して固定したもの等が考えられる。
この副木７を設けた本体中央部１を手掌側の第一関節に合わせることにより固定部となるように残し、その他の剥離紙８を順番に剥がしながら簡便に指に巻回して装着するものである。また、前記剥離紙８は、従来の剥離紙の素材より固い強度の少し強いものを使用することで、この剥離紙８を副木７の代用とすることもできる。
この本発明の手の第一関節変形矯正用サポータは、図３〜図５に示すように第一関節だけを固定できるようにトンボ形に形成し、その本体中央部１を残し、羽根の付け根部分の剥離紙８だけにカットラインを入れておくことにより、剥離紙８を順番に剥がして、指に巻回固定するものである。使用時は、手指先の第一関節の手掌部側（内側）に本体中央部１を合わせ、内側に「副木」、「シーネ」、「添え木」等を設けることによって、固定の機能を持たせる。尚、剥離紙８に副木７の役目を生じさせるようにしても良いし、別の副木７を設けても良いことは言うまでもない。
すなわち、羽根の部分だけを上下どちらからでも順次剥離紙を剥がし、指に巻回して貼り付け装着していくものである。このように装着することで、本体中央部１に固定効果が奏され、しかも、「副木」、「シーネ」、「添え木」の役割を有するので、固定効果が持続する期待が持てるものである。
また、本体中央部１を、手の第一関節変形矯正用サポータ装着時に湾曲させてＲ状に圧力をかけて使用することで、「副木」、「シーネ」、「添え木」効果を上げることができる。
すなわち、第一関節５（末節関節）だけを固定保持するので、第２関節６（中節関節）は運動に制限がなく、動かすことができるので、日常生活での不便さは極めて少ないものである。
また、装着した際のサポータがとても薄いため、複数の第一関節５（末節関節）を同時に使用しても不便さは極めて少ない。
尚、トンボ形の羽根は、上側（指先を覆う）の左右の羽根状のフラップ２は、下側の第一関節と第二関節間を覆う左右の羽根部３に比べて長さは、やや短め、幅もやや細めに形成することで、手指の形状、長さ、太さに合致する形状になるものである。また、使用者の体形等に合わせて羽根の長さや幅等は、種々の組み合わせを採用することができる。
【００１３】
次に、図６〜図８に基づいて、本発明の第二実施例を説明する。
この第二実施例は、前記第一実施例のトンボ形の羽根形状を、図６に示すように縦方向の中央両側にカット部４を施し、上下に設けた羽根状のフラップの部分に隙間を設けたものである。
その他の構成、効果は第一実施例と同様なので、詳細な説明は、省略する。
【００１４】
次に、図９〜図１１に基づいて、本発明の第三実施例を説明する。
前記第二実施例では、指の部分、部分に分割して指に巻回することができるが、この第三実施例では、指に巻回する際、丁寧に注意を払って巻回をしなければならない。すなわち、前記第二実施例の本体中央部１の両側に縦方向のカット部を施し、カット部を挟んで上下に形成した２枚ずつ、計４枚のフラップ部に替えて、全体的に本体中央部１を含めた一枚の矩形フラップを設けたものである。
さらに、本体中央部１には副木を設け、さらに、本体中央部１を挟んで両側フラップ部を設けた本体全体に皮膚に優しい接着剤を塗布し、その上を剥離紙で覆ったことを特徴とする手の第一関節変形矯正用サポータが第三実施例である。
【００１５】
また、患部部分に接触するフラップ部に湿布の機能を持った部位を設けることにより、患部の炎症を鎮静させることも可能である。
また本体とは別に、片面に接着剤（両面シール）を備えた副木だけを添付させることによって、利用者が患部の症状に合わせて副木の厚みを変えることも考えられる。
【産業上の利用可能性】
【００１６】
手指の中節関節の他の関節部にも関節変形矯正用サポータとして、また副木の厚みを変えることで第一関節のつきゆびの治療にも利用することができる。
【符号の説明】
【００１７】
１・・・・本体中央部
２・・・・指先を覆う羽根状のフラップ
３・・・・第一関節と第二関節間を覆う羽根部
４・・・・カット
５・・・・第一関節
６・・・・第二関節
７・・・・副木
８・・・・剥離紙
【図１】
2018050762.tif 000003
【図２】
2018050762.tif 000004
【図３】
2018050762.tif 000005
【図４】
2018050762.tif 000006
【図５】
2018050762.tif 000007
【図６】
2018050762.tif 000008
【図７】
2018050762.tif 000009
【図８】
2018050762.tif 000010
【図９】
2018050762.tif 000011
【図１０】
2018050762.tif 000012
【図１１】
2018050762.tif 000013